【手続補正書】
【提出日】平成27年12月11日(2015.12.11)
【手続補正１】
【補正対象書類名】特許請求の範囲
【補正対象項目名】全文
【補正方法】変更
【補正の内容】
【特許請求の範囲】
【請求項１】
熱源に接続され熱源からの熱を受ける受熱部と、この受熱部に連続し熱源からの熱を放熱する放熱部とを備えた放熱ユニットであって、
中空構造に形成され、内部に熱媒体の経路全体が収まった板状部材を複数備え、
各板状部材は、前記受熱部を構成する受熱部構成要素と、この受熱部構成要素と一体に作られた前記放熱部を構成する放熱部構成要素とを備え、前記受熱部構成要素の厚み寸法と、前記放熱部構成要素の厚み寸法とは、同一に設定されたものであり、
複数の前記板状部材は互いの熱媒体の経路が連続されることなく積層されている、放熱ユニット。
【請求項２】
積層された複数の前記板状部材は、積層方向に略平行な積層平行面を共同して形成し、
前記積層平行面は前記熱源を接続される、請求項１に記載の放熱ユニット。
【請求項３】
各板状部材は、積層方向に貫通する穴または溝を備える、請求項１または２に記載の放熱ユニット。
【請求項４】
１種類の前記板状部材を、隙間を空けることなく厚み方向に添接させている、請求項１、２または３に記載の放熱ユニット。
【請求項５】
一方の板状部材と他方の板状部材とが交互に積層された２種類の板状部材からなり、一方の板状部材と他方の板状部材の形状とが互いに異なる、請求項１、２または３に記載の放熱ユニット。
【請求項６】
複数種類の前記板状部材を備える、請求項１、２または３に記載の放熱ユニット。
【請求項７】
請求項１〜６のいずれか一項に記載の放熱ユニットを備え、
前記熱源はＬＥＤである、ＬＥＤ照明装置。
【請求項８】
熱伝導に優れた複数の板状部材を備える、請求項１〜７のいずれか一項に記載の放熱ユニットの製造方法であって、
前記板状部材を積層させること、
積層方向と略平行な積層平行面を形成すること、
前記積層平行面に熱源を接続することを含む、放熱ユニットの製造方法。
【請求項９】
前記積層平行面を形成することは、エッチングまたは研磨により平面を形成することを含む、請求項８に記載の放熱ユニットの製造方法。
【手続補正２】
【補正対象書類名】明細書
【補正対象項目名】００１１
【補正方法】変更
【補正の内容】
【００１１】
本発明にかかる放熱ユニットは、熱源に接続され熱源からの熱を受ける受熱部と、この受熱部に連続し熱源からの熱を放熱する放熱部とを備えた放熱ユニットであって、中空構造に形成され、内部に熱媒体の経路全体が収まった板状部材を複数備え、各板状部材は、前記受熱部を構成する受熱部構成要素と、この受熱部構成要素と一体に作られた前記放熱部を構成する放熱部構成要素とを備え、前記受熱部構成要素の厚み寸法と、前記放熱部構成要素の厚み寸法とは、同一に設定されたものであり、複数の前記板状部材は互いの熱媒体の経路が連続されることなく積層されている。
【手続補正３】
【補正対象書類名】明細書
【補正対象項目名】００２１
【補正方法】変更
【補正の内容】
【００２１】
板状部材１０は、図３に示すように、前記受熱部１０２を構成する受熱部構成要素１０２ａと、この受熱部構成要素１０２ａと一体に作られた前記放熱部１０３を構成する放熱部構成要素１０３ａとを備え、前記受熱部構成要素１０２ａの厚み寸法と、前記放熱部構成要素１０３ａの厚み寸法とは、同一に設定されたものである。そして、板状部材１０は、板の厚さ方向（積層方向）に貫通する複数の溝Ｃを備え、前面１１と後面１２と前面１１および後面１２を繋ぐ側面１３とからなる。したがって、前面１１および後面１２は、複数の溝を有する形状となる。各板状部材１０は、中空構造に形成されており、内部に熱媒体を有し、熱媒体の移動と気化および液化の状態変化とにより熱伝導し、熱伝導性に優れた、いわゆるベイパーチャンバーである。板状のベイパーチャンバーは、従来よく知られた技術により作製される。
【手続補正４】
【補正対象書類名】明細書
【補正対象項目名】００３６
【補正方法】変更
【補正の内容】
【００３６】
第１種類の板状部材１０は、第１の実施の形態で説明した板状部材１０であり、前記受熱部２０２を構成する受熱部構成要素２０２ａと、この受熱部構成要素２０２ａと一体に作られた前記放熱部２０３を構成する放熱部構成要素２０３ａとを備え、前記受熱部構成要素２０２ａの厚み寸法と、前記放熱部構成要素２０３ａの厚み寸法とは、同一に設定されたものである。第２種類の板状部材２０は、前面２１と後面２２と前面２１および後面２２を繋ぐ側面２３とからなる。第２種類の板状部材２０は、板状部材１０と同様に、中空構造に形成されており、内部に熱媒体を有し、熱媒体の移動と気化および液化の状態変化とにより熱伝導し、熱伝導性に優れた、いわゆるベイパーチャンバー（またはヒートパイプ）である。第２種類の板状部材２０は、図６に示すように、前記受熱部２０２を構成する受熱部構成要素２０２ｂと、この受熱部構成要素２０２ｂと一体に作られた前記放熱部２０３を構成する放熱部構成要素２０３ｂとを備え、前記受熱部構成要素２０２ａの厚み寸法と、前記放熱部構成要素２０３ｂの厚み寸法とは、同一に設定されたものである。そして、第２種類の板状部材２０は、一方向に延在する第３の延在部Ｌ３からなる。第３の延在部Ｌ３は、第１の延在部Ｌ１の前面および後面と同一形状の前面および後面とを有する。
【手続補正５】
【補正対象書類名】明細書
【補正対象項目名】００５１
【補正方法】変更
【補正の内容】
【００５１】
第３種類の板状部材３０は、図８に示すように、前記受熱部３０２を構成する受熱部構成要素３０２ａと、この受熱部構成要素３０２ａと一体に作られた前記放熱部３０３を構成する放熱部構成要素３０３ａとを備え、前記受熱部構成要素３０２ａの厚み寸法と、前記放熱部構成要素３０３ａの厚み寸法とは、同一に設定されたものである。そして、第３種類の板状部材３０は、前記第１の方向に延在する第４延在部Ｌ４と、第４の延在部Ｌ４から前記第２の方向に延在する羽子板状の第５延在部Ｌ５とからなる。第３種類の板状部材３０は、前面３１と後面３２と前面３１および後面３２を繋ぐ側面３３とを有する。第３種類の板状部材３０は、中空構造に形成されており、内部に熱媒体を有し、熱媒体の移動と気化および液化の状態変化とにより熱伝導し、熱伝導性に優れた熱伝導性を有する、いわゆるベイパーチャンバー（またはヒートパイプ）である。
【手続補正６】
【補正対象書類名】明細書
【補正対象項目名】００５２
【補正方法】変更
【補正の内容】
【００５２】
第４種類の板状部材４０は、図９に示すように、前記受熱部３０２を構成する受熱部構成要素３０２ｂと、この受熱部構成要素３０２ｂと一体に作られた前記放熱部３０３を構成する放熱部構成要素３０３ｂとを備え、前記受熱部構成要素３０２ｂの厚み寸法と、前記放熱部構成要素３０３ｂの厚み寸法とは、同一に設定されたものである。そして、第４種類の板状部材４０は、前記第１の方向に延在する第６延在部Ｌ６と、第６の延在部Ｌ６から前記第２の方向に延在する第７延在部Ｌ７とからなり、Ｔ字状に形成されている。第４種類の板状部材４０は、前面４１と後面４２と前面４１および後面４２を繋ぐ側面４３とを有する。第４種類の板状部材４０は、中空構造に形成されており、内部に熱媒体を有し、熱媒体の移動と気化および液化の状態変化とにより熱伝導し、熱伝導性に優れた熱伝導性を有する、いわゆるベイパーチャンバー（またはヒートパイプ）である。
【手続補正７】
【補正対象書類名】図面
【補正対象項目名】図３
【補正方法】変更
【補正の内容】
【図３】
2015198140.tif 000001
【手続補正８】
【補正対象書類名】図面
【補正対象項目名】図６
【補正方法】変更
【補正の内容】
【図６】
2015198140.tif 000002
【手続補正９】
【補正対象書類名】図面
【補正対象項目名】図８
【補正方法】変更
【補正の内容】
【図８】
2015198140.tif 000003
【手続補正１０】
【補正対象書類名】図面
【補正対象項目名】図９
【補正方法】変更
【補正の内容】
【図９】
2015198140.tif 000004